(57)【特許請求の範囲】
【請求項１】
シート材を備え、
前記シート材は一面側に、粘着性を有する粘着領域と、粘着性を有し且つ貼着後剥離すると剥離済マークを表示可能であるマーク表示領域と、前記粘着領域と前記マーク表示領域とを連結し非粘着性を有する連結領域とを備え、
前記シート材は、前記粘着領域を複数有するラベル。
【請求項２】
前記粘着領域は、分離可能な複数の部材からなる被着体の一の部材に貼着可能に構成され、
前記マーク表示領域は、前記被着体の他の部材に貼着可能に構成された請求項１に記載のラベル。
【請求項３】
前記マーク表示領域は、前記被着体に前記剥離済マークを表示すべく構成されている請求項２に記載のラベル。
【請求項４】
前記シート材は前記連結領域に切断手段を有する請求項１乃至３の何れか一項に記載のラベル。
【請求項５】
前記マーク表示領域は、前記シート材に前記剥離済マークを表示すべく構成されている請求項１乃至４の何れか一項に記載のラベル。
【請求項６】
分離可能な複数の部材を備えた被着体と前記被着体に貼着されたラベルとを備え、
前記ラベルは、シート材を備え、
前記シート材は一面側に、粘着性を有する粘着領域と、粘着性を有し且つ貼着後剥離すると剥離済マークを表示可能なマーク表示領域と、前記粘着領域と前記マーク表示領域とを連結し非粘着性を有する連結領域とを備え、
前記シート材は、前記粘着領域を複数有しており、
前記粘着領域は前記被着体の一の部材に貼着され、前記マーク表示領域は前記被着体の他の部材に貼着されたラベル付き包装体。
【請求項７】
前記被着体は蓋と容器本体とを備えた容器であって、
前記一の部材が前記蓋であり、前記他の部材が前記容器本体である請求項６に記載のラベル付き包装体。
【発明の詳細な説明】
【技術分野】
【０００１】
本発明は、ラベル、及びラベルが貼着されたラベル付き包装体に関する。
【背景技術】
【０００２】
化粧品、洗剤、飲料、調味料等の包装体には、宣伝広告、機能説明、使用説明等が表示されたラベルが貼着されている。
例えば、特許文献１には、商品表示ラベル部と、該商品表示ラベル部に結合されたアイキャッチラベル部とが備えられたラベルが開示されている。特許文献１には、商品表示ラベル部を糊等の粘着剤によって包装体である容器の胴部に貼着し、アイキャッチラベル部を容器の上方に立ちあがるようにラベルを容器に取り付けることが開示されている。このようなラベルは、アイキャッチ部分が容器から離間して上方に立ちあがった状態であるため、例えば、アイキャッチラベル部に宣伝広告表示や注意表示等を記載することによって消費者等の見る者の注意を惹きつけることができ、その結果ラベルの表示機能（見る者に表示内容をアピールする機能）を高めることができる。
【０００３】
また、特許文献１には、商品表示ラベル部に結合されている部分を封緘ラベル部として構成されているラベルであって、商品表示ラベル部と封緘ラベル部との結合部にはミシン目が形成されているラベルが開示されている。かかるラベルは、商品表示ラベル部を蓋つき容器の胴部に貼着し、封緘ラベル部を蓋の上部に貼着することで蓋を封緘することができ、さらに、蓋を取って容器を開封する場合には、封緘ラベル部は前記ミシン目によって商品表示ラベル部から切り取られるため、開封したことが認識でき、悪戯等による商品の開封が抑制できる。
【０００４】
しかしながら、特許文献１に記載のラベルは糊等の粘着性によって容器等の被着体に貼着されているため、例えば、悪戯等でラベルを剥がして、蓋を開けた後に、再度ラベルの粘着力で被着体に貼着することが可能である。この場合には、容器が開封されるなどして被着体が使用されたことがわかりにくいという問題がある。
【先行技術文献】
【特許文献】
【０００５】
【特許文献１】特開２０１３−７６７９４号
【発明の概要】
【発明が解決しようとする課題】
【０００６】
本発明は、前記のような従来技術の問題点に鑑みてなされたものであり、表示機能が高く、且つ、被着体が使用されたことが容易に認識できるラベル及びラベル付き包装体を提供することを課題とする。
【課題を解決するための手段】
【０００７】
本発明は、シート材を備え、前記シート材は一面側に、粘着性を有する粘着領域と、粘着性を有し且つ貼着後剥離すると剥離済マークを表示可能であるマーク表示領域と、前記粘着領域と前記マーク表示領域とを連結し非粘着性を有する連結領域とを備えている。
【０００８】
シート材を備え、前記シート材は一面側に、粘着性を有する粘着領域と、粘着性を有し且つ貼着後剥離すると剥離済マークを表示可能であるマーク表示領域と、前記粘着領域と前記マーク表示領域とを連結し非粘着性を有する連結領域とを備えていることにより、非粘着性を有する連結領域が被着体から離間した状態でラベルを被着体に貼着することができ、該離間した部分によって見る者の注意を惹くことが可能になり、ラベルの表示機能を高めうる。また、前記マーク表示領域が貼着後剥離されると剥離済マークを表示可能であるため、例えば、悪戯等でマーク表示領域が剥離された場合には、剥離されたことが剥離済マークによって認識できる。
【０００９】
ラベルにかかる本発明において、前記粘着領域は、分離可能な複数の部材からなる被着体の一の部材に貼着可能に構成され、前記マーク表示領域は、前記被着体の他の部材に貼着可能に構成されていてもよい。
【００１０】
前記粘着領域は、分離可能な複数の部材からなる被着体の一の部材に貼着可能に構成され、前記マーク表示領域は、前記被着体の他の部材に貼着可能に構成されていることで、被着体を分離し、マーク表示領域を剥離した場合には、前記剥離済マーク部が剥離済マークを表示する。従って、被着体が使用時に分離されたことが容易に認識できる。
【００１１】
ラベルにかかる本発明において、前記シート材は前記連結領域に切断手段を有していてもよい。
【００１２】
前記シート材が前記連結領域に切断手段を有する場合には、前記粘着領域と前記マーク表示領域を切断して分離することが容易にできる。
【００１３】
ラベルにかかる本発明において、前記マーク表示領域は、前記被着体に前記剥離済マークを表示すべく構成されていてもよい。
【００１４】
前記マーク表示領域が、前記被着体に前記剥離済マークを表示すべく構成されている場合には、被着体を見ることでラベルが剥離されたことが認識できる。
【００１５】
ラベルにかかる本発明において、前記マーク表示領域は、前記シート材に前記剥離済マークを表示すべく構成されていてもよい。
【００１６】
前記マーク表示領域が、前記シート材に前記剥離済マークを表示すべく構成されている場合には、シート材を見ることでラベルが剥離されたことが認識できる。
【００１７】
ラベルにかかる本発明において、前記シート材は、粘着領域を複数有している。
【００１８】
前記シート材が、粘着領域を複数有している場合には、被着体に合わせてラベルを構成することが容易になる。
【００１９】
ラベル付き包装体にかかる本発明は、分離可能な複数の部材を備えた被着体と前記被着体に貼着されたラベルとを備え、前記ラベルは、シート材を備え、前記シート材は一面側に、粘着性を有する粘着領域と、粘着性を有し且つ貼着後剥離すると剥離済マークを表示可能なマーク表示領域と、前記粘着領域と前記マーク表示領域とを連結し非粘着性を有する連結領域とを備え、前記シート材は、前記粘着領域を複数有しており、前記粘着領域は前記被着体の一の部材に貼着され、前記マーク表示領域は前記被着体の他の部材に貼着されている。
【００２０】
ラベル付き包装体にかかる本発明において、前記被着体は蓋と容器本体とを備えた容器であって、前記一の部材が前記蓋であり、前記他の部材が前記容器本体であってもよい。
【発明の効果】
【００２１】
本発明によれば、表示機能が高く、且つ、被着体が使用されたことが容易に認識できるラベル及びラベル付き包装体を提供することができる。
【図面の簡単な説明】
【００２２】
【図１】本発明の実施例のラベルを示す平面図。
【図２】本発明の実施例のラベルを示す底面図。
【図３】Ｉ−Ｉ線断面図。
【図４】剥離済表示シートの構成を示す概略図であって、（ａ）剥離済表示シートの断面図、（ｂ）剥離済表示シートが被着体から剥がされた状態を示す断面図。
【図５】ラベルの製造方法の一例を示す工程図であって、（ａ）シート材を供給する状態を示す概略正面図、（ｂ）積層体を上からみた状態を示す概略平面図、（ｃ）ＩＩ−ＩＩ線断面図。
【図６】ラベルの製造方法の一例を示す工程図であって、（ａ）積層体を上からみた状態を示す概略平面図、（ｂ）ＩＩＩ−ＩＩＩ線断面図、（ｃ）積層体を上からみた状態を示す概略平面図。
【図７】本発明の実施例のラベル付き包装体を示す図であって、（ａ）正面図、（ｂ）側面図、（ｃ）使用状態を示すＡ部部分拡大正面。
【図８】剥離済表示シートの他の構成を示す概略図であって、（ａ）剥離済表示シートの断面図、（ｂ）剥離済表示シートが被着体から剥がされた状態を示す断面図。
【図９】（ａ）本発明の実施例のラベルを示す平面図、（ｂ）ＩＶ−ＩＶ線断面図。
【図１０】ラベルの製造方法の一例を示す工程図であって、（ａ）積層体を上からみた状態を示す概略平面図、（ｂ）Ｖ−Ｖ線断面図、（ｃ）積層体を下からみた状態を示す概略底面図、（ｄ）積層体の幅方向の線で切断した場合の断面図。
【図１１】ラベルの製造方法の一例を示す工程図であって、（ａ）積層体を下からみた状態を示す概略底面図、（ｂ）積層体の幅方向の線で切断した場合の断面図、（ｃ）積層体を下からみた状態を示す概略底面図。
【図１２】本発明の実施例のラベル付き包装体を示す図であって、（ａ）正面図、（ｂ）側面図。
【発明を実施するための形態】
【００２３】
以下に、本発明及び参考発明の実施形態のラベル及びラベル付き包装体について図面を参照して説明する。
【００２４】
（実施形態１）
本実施形態のラベル１は、図１乃至図３に示すように、シート材２を備え、前記シート材２は一面側２ａに、粘着性を有する粘着領域Ａ１と、粘着性を有し且つ貼着後剥離すると剥離済マークを表示可能なマーク表示領域Ａ２と、前記粘着領域Ａ１と前記マーク表示領域Ａ２とを連結し非粘着性を有する連結領域ＡＬとを備えている。
【００２５】
本実施形態のシート材２は、透明樹脂シート３と、剥離済表示シート４とを備えている。
透明樹脂シート３の一面側（シート材２の一面側２ａに配置される面）の全面には粘着層２０が形成されている。
剥離済表示シート４の一面には印刷層２４が設けられており、該印刷層２４が前記粘着層２０に接するように（印刷層２４がシート材２の他面側に配置されるように）、剥離済表示シート４は透明樹脂シート３と積層されている。前記印刷層２４はラベルに表示したい表示が印刷されることで形成されている。
剥離済表示シート４の他面側の全面には粘着剤が塗布されることで粘着層２１が形成されており、さらに該粘着層２１の上面に糊殺し層２３が形成されている。
糊殺し層２３は、剥離済表示シート４の他面側に形成された粘着層２１の中央部において矩形状の領域を残してニス等が塗布されることで形成されている。
【００２６】
透明樹脂シートの材質は、特に限定されるものではなく、例えば、ポリエチレンテレフタレート、ポリエチレン、ポリプロピレン等の合成樹脂、紙等、ラベルの基材として使用可能なものであればどのような材質であってもよい。
【００２７】
透明樹脂シート３は、図１及び図２に示すように上面視略矩形であって、一辺の端縁部３１ａは中央部が外側に円弧状に突出するような形状に形成されている。透明樹脂シート３の一辺の端縁部３１ａと隣接する両辺の端縁部３１ｂ、３１ｂの対向する位置には、内側に向かって一対の切り込み５，５が切断手段として形成されている。切り込み５，５が形成される位置は、両辺の端縁部３１ｂ、３１ｂの端部側、すなわち、一辺の端縁部３１ａに対向する他辺の端縁部３１ｃに寄った側の端部側であって、該他辺の端縁部３１ｃに平行な線上の位置において透明樹脂シート３の両面に貫通するように切断されることで形成されている。
【００２８】
剥離済表示シート４は、一度粘着層２１を介して被着体に貼着した後に剥離すると被着体に、或は、剥離済表示シート４に剥離されたことを示すマーク（剥離済マーク）が表示されるような機能を有するシートであれば特に限定されるものではないが、例えば、以下のようなものが挙げられる。
【００２９】
本実施形態で使用される剥離済表示シート４は、図３及び図４に示すように、透明シート材４１と、該透明シート材４１の一面側（シート材２の一面側２ａに配置される面）に形成された剥離剤層４１２と、該剥離剤層４１２を覆うように形成されたベタ印刷層４１３とからなる。
【００３０】
前記剥離剤層４１２は、透明な樹脂シートからなる透明シート材４１の一面側にシリコーン樹脂等の透明剥離剤で縞やドット等のパターンが印刷されて形成されている。
前記ベタ印刷層４１３は紺色等の濃い色のインキが剥離剤層４１２を覆うようにベタ印刷されて形成されている。
このような剥離済表示シート４が被着物に粘着層２１を介して貼着された場合には、剥離剤層４１２のパターンは透明剥離剤から構成されているため目視できない。そして被着体から透明シート材４１を剥離した場合には、剥離剤層４１２と該剥離剤層４１２を覆っている部分のベタ印刷層４１３は共に被着体側に残り、一方、剥離剤層４１２のパターン以外の箇所にあるベタ印刷層４１３は透明シート材４１側に残る(図４（ｂ）参照）。従って、ベタ印刷層４１３は剥離剤層４１２のパターン形状に沿って分解され、透明シート材４１側では剥離剤層４１２のパターン以外の箇所のベタ印刷層４１２が表れ、被着体側には剥離剤層４１２のパターンのベタ印刷層４１２は表れるため、剥離されたことが被着体側及び透明シート材４１側双方に表示され、すなわち剥離済マークが表示される。
尚、ベタ印刷層４１３は濃い色のインキが印刷されることで、透明シート材４１側に現れた剥離済マークがより明確に認識できる。
また、図４は剥離済表示シート４の構成の一例を説明する図であるため、便宜上糊殺し層２４及び他のシート材２の構成は図示していない。
【００３１】
本実施形態のラベル１のマーク表示領域Ａ２は、前記のような機能を有する剥離済表示シート４を採用することで、後述するように、被着体に剥離済マークを表示すべく構成されていると同時に、ラベルにも剥離済マークを表示すべく構成されている。
【００３２】
透明樹脂シート３と剥離済表示シート４とは、上述のとおり剥離済表示シート４の印刷層２４が形成された面が透明樹脂シート３の粘着層２０と接するように積層され一体化されている。この状態で剥離済表示シート４は透明樹脂シート３と略同サイズ及び同形状に形成されているが、透明樹脂シート３の両辺の端縁部３１ｂ、３１ｂに相当する辺の長さが透明樹脂シート３よりも短くなるように形成されている。すなわち、剥離済表示シート４の一辺の端縁部４ｃは、透明樹脂シート３の他の端縁部３１ｃよりも内側に配置される。本実施形態では、剥離済表示シート４の他辺の端縁部４ｃは、透明樹脂シート３の前記切り込み５，５が形成された位置よりもやや内側に配置されている。
【００３３】
本実施形態の透明樹脂シート３には、剥離済表示シート４の他辺の端縁部４ｃから切り込み５，５の位置よりわずかに一辺側の位置までニス等が塗布された糊殺し層２２が形成されている。
すなわち、透明樹脂シート３の他辺の端縁部３１ｃから切り込み５，５が形成されている位置よりわずかに外側の位置までの領域には粘着層２０が露出しており、すなわち粘着性を有する領域（粘着領域）Ａ１が形成される。
【００３４】
また、剥離済表示シート４の一面側において糊殺し層２４が形成されていない中央部は粘着層２１が露出しているため粘着性を有する領域となる。同時に、剥離済表示シート４は上記のような剥離済マーク機能を有するシートであるため、粘着層２１が露出している位置は、貼着後剥離すると剥離済マークを表示可能な剥離済マーク領域Ａ２となる。
【００３５】
本実施形態のシート材２において、透明樹脂シート３の切り込み５，５が形成されている位置よりわずかに他辺側の位置からマーク表示領域Ａ２までの領域は、糊殺し層２２、２４が形成されており非粘着性の領域であり、すなわち、粘着領域とマーク表示領域とを連結し非粘着性である連結領域（ＡＬ）として形成される。また、本実施形態のシート材２は、粘着領域Ａ１及びマーク表示領域Ａ２以外の部分は糊殺し層２２、２４によって粘着領域Ａ１及びマーク表示領域Ａ２よりも粘着性が低い非粘着性を有する領域として形成されている。すなわち、本実施形態においては、粘着領域Ａ１及びマーク表示領域Ａ２以外の領域が粘着領域Ａ１及びマーク表示領域Ａ２を連結する領域（連結領域）を構成する。
本実施形態において、切断手段としての切り込み５，５は、連結領域ＡＬの粘着領域Ａ２側の端部に形成されていることになる。
【００３６】
尚、本実施形態において、「粘着性」とは通常のタックラベル程度の粘着強度を意味し、「非粘着性」とはかかる「粘着性」よりも粘着強度が低いことを意味する。
非粘着性の領域を形成する手段としては、糊殺し層を形成することの他にも、非粘着性を付与する面には粘着剤を塗布しないこと、フィルム等の別の層を設けて粘着性をなくすこと等、各種手段を採用することができる。
【００３７】
また、本実施形態において切断手段として切り込みを備えたラベルを示したが、切断手段としてはこれに限定されるものではなく、ミシン目、開封誘導用のノッチ、開封テープ、易破断性フィルム等の公知の手段であってもよい。
【００３８】
さらに、本実施形態においてシート材２として剥離済表示シート４及び透明樹脂シート３と、粘着層、印刷層、糊殺し層とからなるシート材、等から構成されているラベルを示したが、シート材はこれに限定されるものではなく、例えば、剥離済表示シート、粘着層、印刷層、糊殺し層等からなるシート材であってもよい。
【００３９】
また、粘着剤の材質、糊殺し層を形成するニス等の材質等も限定されるものではなく、例えば、公知の材質から適宜選択して使用してもよい。
【００４０】
本実施形態のラベル１は、粘着領域Ａ１が分離可能な複数の部材からなる被着体の一の部材に貼着可能に構成され、マーク表示領域Ａ２は、被着体の他の部材に貼着可能に構成されている。
すなわち、透明樹脂シート３の他辺側の端縁部３１ｃに粘着領域Ａ１が配置され、かかる粘着領域Ａ１とは所定の距離を隔ててマーク表示領域Ａ２が配置されていることで、被着体のある位置に粘着領域Ａ１が貼着され、別の位置にマーク表示領域Ａ２が貼着可能に構成されている。粘着領域Ａ１とマーク表示領域Ａ２との間に連結領域ＡＬが配置されることで、粘着領域Ａ１が分離可能な複数の部材からなる被着体の一の部材に貼着可能に構成され、マーク表示領域Ａ２が被着体の他の部材に貼着可能なラベル１を形成することができる。
尚、粘着領域Ａ１とマーク表示領域Ａ２との距離は、被着体の形状やサイズに応じて設定することができる。
【００４１】
（実施形態２）
本実施形態のラベルを製造する方法の一例を図５乃至図６を参照して説明する。
まず、図５に示すように、一面側に粘着層２０が形成された長尺の透明樹脂シート材３００と、一面側に粘着層２１が形成され、他面側に印刷層２４が形成された長尺の剥離済表示シート材４００とをそれぞれ所定の幅に切断しながら供給し、透明樹脂シート材３００の粘着層２０と剥離済表示シート材４００に形成された印刷層２４とが接するように積層して積層シート体２００を得る。
このとき、図５（ｂ）、（ｃ）に示すように、透明樹脂シート材３００の幅よりも剥離済表示シート材４００の幅はやや狭くなるように各シート材は切断されているため、積層シート体２００の一の側方においては透明樹脂シート材３００の粘着層２０が露出している。
【００４２】
尚、透明樹脂シート材３００及び剥離済表示シート材４００の粘着層２０，２１には必要に応じてセパレーターを積層して、他の部材と積層する際等にセパレーターを剥離しながらラベルを製造してもよい（セパレーターは図示せず）。
【００４３】
次に、図６（ａ）、（ｂ）に示すように、積層シート体２００の一面側、すなわち、剥離済表示シート材４００の粘着層２１の上面及び透明樹脂シート材３００の粘着層２０が露出している面の一部にニス等を塗布して、糊殺し層２０１（糊殺し層２３、２２となる層）を形成する。
具体的には、剥離済表示シート材４００の粘着層２１に、ラベルのマーク表示領域Ａ２に相当する位置を残してニスを塗布する。透明樹脂シート材３００の粘着層２０が露出している面においては、積層されている剥離済表示シート材４００の側縁部４００ａよりわずかにはみ出す程度にニスを塗布する。
【００４４】
さらに、図６（ｃ）に示すように、積層シート体２００をラベルの外形及び切り込み線の位置において切断する。尚、セパレーターを透明樹脂シート材の粘着剤層及びマーク表示領域Ａ２の粘着剤層を覆うべく積層している場合には、セパレーターを切断しないように積層体を切断して、ラベル１を製造する。
【００４５】
本実施形態の製造方法では、長尺状のシート材（透明樹脂シート材３００及び剥離済表示シート材４００）を用い連続的に複数のラベルを製造するため、効率的に多数のラベルを製造することができる。
【００４６】
尚、長尺状のシート材はロール状に券回されたものを順次繰り出して各製造工程に供給してもよい。
或は、シート材は長尺状のものを用いることに限定されるものではなく、枚葉のシート材を用いてラベルを製造してもよい。
【００４７】
（実施形態３）
上述した本実施形態のラベルを使用したラベル付き包装体について図７を参照して説明する。
本実施形態のラベル付き包装体１０は、分離可能な複数の部材を備えた被着体１１と前記被着体１１に貼着されたラベル１とを備え、前記ラベル１は、シート材２を備え、前記シート材２は一面側に、粘着性を有する粘着領域Ａ１と、粘着性を有し且つ貼着後剥離すると剥離済マークを表示可能なマーク表示領域Ａ２と、前記粘着領域Ａ１と前記マーク表示領域Ａ２とを連結し非粘着性である連結領域ＡＬとを備え、前記粘着領域Ａ１は、前記被着体１１の一の部材に貼着され、前記マーク表示領域Ａ２は前記被着体１１の他の部材に貼着されている。
【００４８】
本実施形態のラベル付き包装体１０（以下、単に包装体ともいう）の被着体１１は、特に限定されるものではないが、例えば、容器本体１２と蓋１３とを備えた容器１１であってもよい。本実施形態の容器１１は、分離可能な複数の部材の一の部材が蓋１３であり、他の部材が容器本体１２である。
【００４９】
蓋１３は、容器本体１２に収容された収容物を取り出す際に取り外して開封可能なように容器本体１２に取り付けられている。
本実施形態において、ラベルは１、図７（ａ）、（ｂ）に示すように、容器本体１２の上部から蓋１３にかけての外面を覆うように、粘着性を有する粘着領域Ａ１が容器本体の上部に貼着され、マーク表示領域Ａ２が蓋の側面に貼着されるように、容器１１に取り付けられる。本実施形態においてラベル１は、粘着領域Ａ１側の端縁部（他の端縁部３１ｃ）側が容器１１の下方に配置され、円弧状の端縁部（一辺の端縁部３１ａ）側が容器１１の上方に配置されるように容器１１に取り付けられる。
【００５０】
ラベル１の連結領域ＡＬは非粘着性であるため、容器１１に固定されずに容器１の外面から離間した状態になる。本実施形態ではラベル１の粘着領域Ａ１とマーク表示領域Ａ２との間の連結領域ＡＬが容器本体１２と蓋１３との間で離間した状態になっており、さらに、マーク表示領域Ａ２よりも上方の連結領域ＡＬは蓋１３の上端よりも上方に立ち上がった状態に配置される。すなわち、かかる連結領域ＡＬに商品に関する表示を記載することでアイキャッチラベルとしての機能を発揮させることができる。
【００５１】
また、ラベル１は容器本体１２と蓋１３に亘って容器１１の外面を覆う状態で取り付けられているため、ラベル１が取り付けられている状態では蓋１３を取り外すことができない。すなわち封緘ラベルとしての機能を発揮させることができる。
【００５２】
蓋１３を取り外す場合には、まず、蓋１３に貼着されたマーク表示領域Ａ２の部分を蓋１３から剥離する。
このとき、切り込み５の位置からラベル１の切断が誘導されるため、ラベル１が容易に切断できる。
マーク表示領域Ａ２が蓋１３から剥離されると剥離済表示シート４の機能により剥離済マークＤが蓋１３の外面に残る。また、ラベル１のマーク表示領域Ａ２においても、印刷の一部が剥がれた状態になる等して剥離済マークＤが残る。
従って、店頭等において悪戯等で蓋１３が取り外した場合には、ラベル１或は蓋１３に剥離済マークＤが残り、蓋１３が外されたことが容易に認識できる。
【００５３】
尚、ラベル１を付けたまま蓋１３を取り外しても良い。この場合にもラベル１は切り込み５から切断されるため、ラベル１の粘着領域Ａ１を含む部分が本体側に残留するとともに、その他の部分が蓋１３に残留する。その結果、蓋１３が外されたことが容易に認識される。また、残留したラベル１の一部が蓋１３から剥離された場合にも、上述のように、蓋１３の外面およびラベル１のマーク表示領域Ａ２に剥離済マークＤが残るため、ラベル１の一部が剥離されて蓋１３が外された場合でもこのことが容易に認識される。
【００５４】
尚、本実施形態において、被着体として蓋と容器本体とからなる容器を示したが、被着体としてはこれに限定されるものではない。
例えば、被着体としては、分離して使用されるパーツが組み合わされたおもちゃ等のように、各パーツが不用意に分離されたことが店頭等ですみやかに認識されることが必要な被着体等が挙げられる。
【００５５】
また本実施形態においては、マーク表示領域Ａ２が蓋１３から剥離されると剥離済マークＤが蓋１３の外面及びラベル１のマーク表示領域Ａ２の両方に残るラベルを示したが、剥離済マークは、被着体及びラベルの少なくとも何れか一方に残るように構成されていればよい。
例えば、剥離済表示シート４として、図８に示すようなものを使用してもよい。
図８に示す剥離済表示シート４は、透明樹脂シートからなる２枚の透明シート材４１ａ、４１ｂを備え、上述した実施形態１と同様の剥離剤層４１２と、該剥離剤層４１２の上面の全面を覆うベタ印刷層４１３を添えているが、ベタ印刷層４１３は透明あるいは半透明等のような剥離剤層４１２が該ベタ印刷層４１３を介して目視可能な色のインキから構成されている。
２枚の透明シート材４１ａ、４１ｂのうち一方の透明シート材４１ａは、透明樹脂シート３側に配置され、他方の透明シート材４１ｂは一面側が前記ベタ印刷層４１３と粘着層２１１を介して積層されており、他方の透明シート材４１ｂの他面側には粘着層２１が形成されて該粘着層２１側が被着体に張り付けられる。
かかる剥離済表示シート４は、図８（ｂ）に示すように、被着体から剥がされると、剥離剤層４１２が変形して、空間Ｓが形成され、かかる空間Ｓによって該部分の屈折率が変わり透明シート材４１ｂの側から剥離剤層４１２が目視できるようになり、その結果、ラベル側に剥離済マークＤが現れる。一方、透明シート材４１ｂが存在することで、被着体側には印刷層４１３のインキが残ることがない。よって、被着体からインキ等を除去する必要がないという利点がある。
【００５６】
尚、剥離済表示シート４の構成は上記に示すような構成であることには限られず、剥離した履歴が被着体あるいはラベルに残るような公知のシート材であれば使用可能である。
例えば、剥離剤層４１２の変形により空間Ｓが生じることは必ずしも必要ではなく、剥離剤層が、剥離時の力で膨潤したり、破壊されたり、伸張したり、収縮したり、ヒビが入ったり等のような変形が生じることで剥離済マークＤが現れてもよい。
【００５７】
（実施形態４）
次に、他の実施形態にかかるラベル１について図９を参照して説明する。
尚、実施形態１にかかるラベルと同様の構成については同じ符号を付し、説明を繰り返さない。
【００５８】
本実施形態のラベル１が実施形態１のラベル１と異なる点は、シート材２は粘着領域Ａ１を複数有する点である。本実施形態では、シート材２の二か所に粘着領域Ａ１、Ａ１が配置されている。
具体的には、本実施形態のシート材２は、一面側に粘着層２０が形成され、他面側に印刷層３３が形成された透明樹脂シート３から構成される。
印刷層３３は透明樹脂シート３の一方の軸方向（Ｘ方向）の両端部に設けられ、それぞれの印刷層３３，３３が、一方の端部側には第一表示部３４ａ、他方の端部側には第二表示部３４ｂを構成している。
透明樹脂シート３の第一表示部３４ａと第二表示部３４ｂとの間は、図９(a)に示すように、第一表示部３４ａ及び第二表示部３４ｂよりも幅狭に形成されている。
【００５９】
本実施形態の剥離済表示シート４は、透明樹脂シート３の一面側において、第一表示部３４ａに連続する位置に粘着層２０を介して積層されている。
剥離済表示シート４は、透明樹脂シート３の幅と一致する幅を有する矩形状に形成されている。
尚、本実施形態の剥離済表示シート４は、糊殺し層２４が形成されていない他は上記実施形態１と同様の構成である。
【００６０】
本実施形態のシート材２には、透明樹脂シート３の一面側において一方の軸方向（Ｘ方向）の両端部の一部を残してニス等が塗布された糊殺し層２２が形成されている。
【００６１】
本実施形態のラベル１には、透明樹脂シート３の一面側における両端部が粘着性を有する粘着領域Ａ１、Ａ１として形成される。
また、剥離済表示シート４の粘着層２１が設けられた面がマーク表示領域Ａ２として形成されている。
さらに、透明樹脂シート３の一面側における両端部の粘着領域Ａ１以外の領域が連結領域ＡＬとして形成されている。
【００６２】
尚、本実施形態においては、粘着領域Ａ１が二カ所に設けられたラベルを示したが、粘着領域は三つ以上備えていてもよい。
【００６３】
また、本実施形態においては、印刷層３３が透明樹脂シート３の他面側、すなわち、ラベル１が貼着された際に外面側になる位置に配置されているラベルを示したが、実施形態１と同様に印刷層３３の位置は透明樹脂シート３の一面側（粘着層側）であってもよい。
【００６４】
（実施形態５）
実施形態４のラベルを製造する方法の一例を図１０乃至図１１を参照して説明する。
まず、一面側に粘着剤が塗布され粘着層２０が形成され、他面側の所定位置に印刷層３３が形成された長尺の透明樹脂シート材３００を供給する。
次に、細い幅に切断された長尺状の剥離済表示シート材４００を、透明樹脂シート材３００の粘着層２０に積層し、積層シート体２００を得る。
次に、積層シート体２００の粘着層２０の上面にニス等を塗布して、糊殺し層２０１を形成する。
ここで、前記積層シート体２００の幅方向の端縁沿いの部分にはニスを塗布せずに粘着層２０が露出するように糊殺し層２０１を形成する。
【００６５】
さらに、図１１（ｃ）に示すように、積層シート体２００をラベルの外形の位置において切断する。
【００６６】
（実施形態６）
上述した本実施形態４及び５のラベルを使用したラベル付き包装体について図１２を参照して説明する。
本実施形態のラベル付き包装体１０は、容器本体１２と蓋１３とを備えた容器１１にラベル１が貼着された包装体である。
本実施形態において、ラベル１は、図１２（ｂ）に示すように、容器本体１２の正面の上部から蓋１３にかけての外面を覆うように、第一表示部３４ａが形成された粘着領域Ａ１が容器本体の上部に貼着され、マーク表示領域Ａ２が蓋の上面に貼着され、第二表示部３４ｂが形成された粘着領域Ａ１が容器本体１２の背面（前記正面と対向する面）の上部に貼着される。
【００６７】
本実施形態のラベル付き包装体１０においては、ラベル１の二つの表示部３４ａ，３４ｂの間に形成された細幅の連結領域で蓋１３の上面を多い封緘ラベルとして機能する。
さらに、容器本体１２の正面及び背面に二つの表示部３４ａ，３４ｂが配置されるため、表示機能を発揮させることができる。
【００６８】
各実施形態にかかるラベル、ラベル付き包装体は、以上のとおりであるが、今回開示された実施の形態はすべての点で例示であって制限的なものではないと考えられるべきである。本発明の範囲は前記説明ではなくて特許請求の範囲によって示され、特許請求の範囲と均等の意味及び範囲内でのすべての変更が含まれることが意図される。
【産業上の利用可能性】
【００６９】
表示機能が高く、且つ、被着体が使用されたことが容易に認識できるという点で、非常に大きなメリットが得られるために、産業上の利用可能性がある。
【符号の説明】
【００７０】
１：ラベル、２：シート材、Ａ１：粘着領域、Ａ２：マーク表示領域、ＡＬ：連結領域、５，５：切り込み、１０：ラベル付き包装体、１１：被着体（容器）、１２：容器本体、１３：蓋、Ｄ：剥離済マーク。
【図１】
0006698258.tif 000002
【図２】
0006698258.tif 000003
【図３】
0006698258.tif 000004
【図４】
0006698258.tif 000005
【図５】
0006698258.tif 000006
【図６】
0006698258.tif 000007
【図７】
0006698258.tif 000008
【図８】
0006698258.tif 000009
【図９】
0006698258.tif 000010
【図１０】
0006698258.tif 000011
【図１１】
0006698258.tif 000012
【図１２】
0006698258.tif 000013